(57)【要約】      （修正有）【課題】室内の保管位置に設けた掛止部に掛止した状態での保管を可能にするものでありながら、外出頻度や運転・駐車頻度などが高い場合には、衣服のポケットに挟着することで保管と携行との双方の実行を可能にして、使用時の煩雑度を低下させ、かつ放置位置の失念や紛失を回避することができるネームホルダを提供する。【解決手段】一端側基部２から他端側自由端部３にのびる第１クリップ部４と、一端側基部２から他端側自由端部５にのびて第１クリップ部４を取り囲む第２クリップ部６とを備え、一端側基部２と前記両クリップ部との境界部を基点に少なくとも第２クリップ部６が厚さ方向に弾性折曲可能であり、第１クリップ部４にはネーム板８が挿入され、かつこのネーム板８の表面８ｂが臨む窓部１０を形成している。【選択図】図１
0003160040.tif 000002
【実用新案登録請求の範囲】
【請求項１】
一端側基部の幅方向両端部を除いた部位から他端側自由端部に延設する第１クリップ部と、前記一端側基部の幅方向両端部から他端側自由端部に延設されて前記第１クリップ部を取り囲む第２クリップ部とを備え、前記一端側基部と前記両クリップ部との境界部を基点に当該両クリップ部の少なくとも第２クリップ部が厚さ方向に弾性折曲可能であるとともに、前記第１クリップ部にはネーム板が挿入され、かつこのネーム板の表面が臨む窓部１０を形成したことを特徴とするネームホルダ。
【請求項２】
請求項１に記載したネームホルダにおいて、
ネームホルダは樹脂成形体からなるネームホルダ。
【請求項３】
請求項１または請求項２に記載のネームホルダにおいて、
前記ネーム板は、耐水性に優れ、各種筆記具による文字の表示を許容するとともに、表示文字の消滅を抑制できる特性を有する紙片によって構成されているネームホルダ。
【請求項４】
請求項１，請求項２または請求項３に記載のネームホルダにおいて、
前記一端側基部に、携行物やキーなどに連結する連結部材を取付けるための連結部材取付部が設けられているネームホルダ。
【考案の詳細な説明】
【技術分野】
【０００１】
本考案はネームホルダに係り、より詳しくは、携行用バッグなどの持ち物やキーなどに装着することで、ネームホルダやキーホルダとして使用することができるとともに、衣服のポケットに挟着保持して携行または保管することができるネームホルダに関する。
【背景技術】
【０００２】
従来のネームホルダとして、たとえば図８および図９に示すものが知られている。
【０００３】
この種のネームホルダ５０は、合成樹脂によって略長方形に成形されており、ネーム板５１を載置するベース部５２と、このベース部５２の前側（図示例では上側）に対応する窓部５３を形成してベース部５２に一体成形された枠部５４とを備え、ベース部５２と枠部５４との一端側に設けた隙間５５からベース部５２と枠部５４の間に挿入されたネーム板５１の裏面がベース部５２に載置され、かつ該ネーム板５１の周縁部５１ａ以外の表面５１ｂを窓部５３の内側に配置した透明合成樹脂板からなる透視板５７の裏面側に位置させて、前記周縁部５１ａを前記隙間５５およびベース部５２と枠部５４の間に挟持するとともに、ベース部５２と枠部５４それぞれの長手方向の一端側に突設した突出部５８に連結部材５９を取付けた構造になっている。したがって、連結部材５９の先端部に携行用バッグなどの持物を装着することでネームホルダとして機能し、連結部材５９の先端部にキーを装着することでキーホルダとして機能する。
【先行技術文献】
【特許文献】
【０００４】
【特許文献１】特になし。
【考案の概要】
【考案が解決しようとする課題】
【０００５】
ところで、前記従来のネームホルダ５０がキーホルダとして適用されると、使用後の保管は、一般に、室内の保管位置まで移動し、この保管位置に設けた例えばＬ型のフックなどの掛止部に連結部材５９を掛止した吊り下げ状態でなされる。そして、キーの使用は、前記掛止部から当該ネームホルダ５０を取り外して手で持った状態、あるいは衣服のポケットに収納した状態で玄関のドアーあるいは駐車場の車体の位置まで移動してなされる。
【０００６】
すなわち、当該キーが自宅の玄関ドアー用のものであると、通常は、外出に際して室内の保管位置まで移動し、ここで前記掛止部からネームホルダ５０を取り外して手で持ってドアーまで移動して施錠したのち、衣服のポケットあるいはバッグなどにネームホルダ５０を収納して携行し、帰宅時にネームホルダ５０を衣服のポケットあるいはバッグなどから取り出して玄関ドアーのロックを解除したのち、手で持って入室後に保管位置まで移動し、ここでネームホルダ５０を前記掛止部に掛止した吊り下げ状態で保管される。
【０００７】
このように、外出に際して、その都度保管位置まで移動して掛止部からネームホルダ５０を取り外し、帰宅時の玄関ドアーのロック解除後には、その都度保管位置まで移動してネームホルダ５０を掛止部に掛止して保管する一連の動作は比較的煩わしいものである。特に、外出頻度の高い日は煩雑度が高くなるので、帰宅後に掛止部へのネームホルダ５０の掛止を怠って、該ネームホルダ５０を別の場所に放置する状態が生じ易く、別の場所に放置されると、その放置場所を失念してつぎの外出に際して速やかなドアーロックが妨げられるといった問題が発生する。したがって、外出頻度の高い日は、ネームホルダ５０を衣服のポケットに収納することで煩雑度を低下させ、かつ放置場所の失念を回避しようとする。しかし、ポケットへの収納は、ポケットから他の収納物を取り出す際、不本意ながらネームホルダ５０も同時に取り出されて脱落して紛失するおそれが有る。
【０００８】
一方、前記キーが自動車やバイク用であると、通常は、それらの運転に際して室内の保管位置まで移動し、ここで前記掛止部からネームホルダ５０を取り外して手で持って駐車位置まで移動してキーを使用し、自動車やバイクの運転終了後に駐車位置で車体からキーを取り外して、手で持って入室後に保管位置まで移動し、ここでネームホルダ５０を掛止部に掛止した吊り下げ状態で保管される。
【０００９】
このように、自動車やバイクの運転に際して、その都度保管位置まで移動して掛止部からネームホルダ５０を取り外し、帰宅時に駐車した車体から取り外したネームホルダ５０を、その都度保管位置まで移動して掛止部に掛止して保管する一連の動作は比較的煩わしいものである。特に、運転・駐車頻度の高い日は煩雑度が高くなるので、帰宅後に掛止部へのネームホルダ５０の掛止を怠って、該ネームホルダ５０を別の位置に放置する状態が生じ易く、別の位置に放置されると、その放置位置を失念してつぎの運転に際して速やかな発進が妨げられるといった問題が発生する。したがって、運転・駐車頻度の高い日はネームホルダ５０を衣服のポケットに収納することで煩雑度を低下させ、かつ放置位置の失念を回避しようとする。しかし、ポケットへの収納は、前述した理由によりネームホルダ５０紛失するおそれを有する。
【００１０】
本考案は上記の実情に鑑みてなされたものであって、キーホルダとしての適用に際して、室内の保管位置に設けた掛止部に掛止した状態での保管を可能にするものでありながら、外出頻度や運転・駐車頻度などが高い場合には、衣服のポケットに挟着することで保管と携行との双方の実行を可能にして、使用時の煩雑度を低下させ、かつ放置位置の失念や紛失を回避することができるネームホルダの提供を目的とするものである。
【課題を解決するための手段】
【００１１】
前記目的を達成するために、本考案に係るネームホルダは、一端側基部の幅方向両端部を除いた部位から他端側自由端部に延設する第１クリップ部と、前記一端側基部の幅方向両端部から他端側自由端部に延設されて前記第１クリップ部を取り囲む第２クリップ部とを備え、前記一端側基部と前記両クリップ部との境界部を基点に当該両クリップ部の少なくとも第２クリップ部が厚さ方向に弾性折曲可能であるとともに、前記第１クリップ部にはネーム板が挿入され、かつこのネーム板の表面が臨む窓部１０を形成したことを特徴としている。
【００１２】
前記構成のネームホルダがキーホルダとして適用されると、その保管は、室内の保管位置に設けた例えばＬ型フックなどの掛止部に連結部材を掛止した状態でなされる。そして、キーの使用は、従来と同様に、前記掛止部から当該ネームホルダを取り外して手で持った状態、あるいはポケットに収納した状態で玄関のドアーの位置あるいは駐車位置まで移動して行うことができる。
【００１３】
一方、外出頻度や運転・駐車頻度などが高い場合には、指先で第２クリップ部の他端側自由端部を第１クリップ部の他端側自由端部から離れる方向に付勢して、第２クリップ部を境界部を基点に少し弾性折曲して、両クリップ部の他端側自由端部を厚さ方向に拡開し、この拡開状態で衣服のポケットの開口端縁部にあてがって前記指先による付勢を解除することで、第２クリップ部の弾性復帰力により、第２クリップ部の表面の一部と第１クリップ部の裏面の一部とでポケットの開口端縁部を仮挟着したのち、ネームホルダをポケット内に押し込むことで、一端側基部と両クリップ部との境界部を開口端縁部の近くまで移動させて、ネームホルダを衣服のポケットに挟着して携行または保管することができる。すなわち、外出頻度や運転・駐車頻度などが高い場合には、ネームホルダを衣服のポケットに挟着することで保管と携行との双方の実行を可能にして、使用時の煩雑度を低下させ、かつ放置位置の失念や紛失を回避することができる。
【００１４】
本考案に係るネームホルダは、樹脂成形体からなることが望ましい。これによると、衣服のポケットの開口端縁部への着脱が繰り返されることで、前記少なくとも第２クリップ部の厚さ方向への弾性折曲が頻繁になされても、該少なくとも第２クリップ部の折損を避けて長期使用に対応することができる。
【００１５】
また、本考案に係るネームホルダは、前記ネーム板を、耐水性に優れ、各種筆記具による文字の表示を許容するとともに、表示文字の消滅を抑制できる特性を有する紙片によって構成することが望ましい。これによると、ネーム板の表面が窓部に臨むことで雨水などに触れたとしても、該ネーム板の損傷劣化および表示文字の消滅を抑えてネーム板の延命化、ひいてはネームホルダの延命化を達成することができるとともに、油性マーカ、万年筆、ボールペンあるいは鉛筆やシャープペンシルなどを含む全ての筆記具によりネーム板の表面に所定の文字を表示することができる。
【００１６】
さらに、本考案に係るネームホルダは、前記一端側基部に、携行物やキーなどに連結する連結部材を取付けるための連結部材取付部を設けることが望ましい。これによると、連結部材取付部に取付けた連結部材に携行用バッグなどの持ち物を装着することでネームホルダとして機能させ、連結部材取付部に取付けた連結部材にキーを装着することでキーホルダとして機能させることができる。
【考案の効果】
【００１７】
本考案に係るネームホルダは、これをキーホルダとして適用した場合、衣服のポケットに挟着して携行または保管することができるので、外出頻度や運転・駐車頻度などが高い場合には、使用時の煩雑度を低下させ、かつ放置位置の失念や紛失を回避することができる。
【図面の簡単な説明】
【００１８】
【図１】本考案に係るネームホルダをキーホルダとして適用した場合の一実施形態を示す斜視図である。
【図２】図１のII−II線に沿う拡大断面図である。
【図３】図１のIII−III線に沿う拡大断面図である。
【図４】本考案に係るネームホルダの一実施形態を示す拡大側面図である。
【図５】図４のV−V矢視図である。
【図６】本考案に係るネームホルダを衣服のポケットに仮止めした状態の概略説明図である。
【図７】本考案に係るネームホルダを衣服のポケットに挟着した状態の概略説明図である。
【図８】一部を破断して示す従来例の斜視図である。
【図９】図８のIX−IX線に沿う拡大断面図である。
【考案を実施するための形態】
【実施例】
【００１９】
以下、本考案に係るネームホルダの好ましい実施形態を図面に基づいて説明する。図１は本考案に係るネームホルダをキーホルダとして適用した場合の一実施形態を示す斜視図、図２は図１のII−II線に沿う拡大断面図、図３は図１のIII−III線に沿う拡大断面図、図４は本考案に係るネームホルダの一実施形態を示す拡大側面図、図５は図４のV−V矢視図である。
【００２０】
図１〜図５において、ネームホルダ１は、合成樹脂によって一体に成形されており、一端側基部２の幅方向（矢印Ｗ方向）両端部２ａ，２ａを除いた部位２ｂから他端側自由端部３に延設する第１クリップ部４と、一端側基部２の幅方向両端部２ａ，２ａから他端側自由端部５に延設されて、第１クリップ部４を取り囲む第２クリップ部６とを備えている。
【００２１】
第１クリップ部４は、前記部位２ｂの幅方向（矢印Ｗ方向）の寸法よりも長手方向（矢印Ｌ方向）寸法が十分に大きく、かつ一端側基部２と同じ厚さを有して他端側自由端部３に延設されているとともに、他端側自由端部３は半円形に形成されている。
【００２２】
第２クリップ部６は、一端側基部２との境界部７で厚さ方向の裏側に向けて該厚さの大きさに略相当して鈍角に折曲した一対の折曲部６ａと、各折曲部６ａの先端から延設されて、第１クリップ部４を取り囲むＵ字形の本体部６ｂとを備えている。したがって、第１クリップ部４と第２クリップ部６は、一端側基部２との境界部７を基点に厚さ方向に弾性折曲可能に構成されている。
【００２３】
一方、第１クリップ部４は、ネーム板８を載置するベース部９と、このベース部９の前側（図示例では上側）に対応する長方形の窓部１０を形成してベース部９に一体成形された枠部１１とを備え、一端側基部２に設けた隙間１２からベース部９と枠部１１の間に挿入されたネーム板８の裏面８ｃがベース部９に載置され、かつ該ネーム板８の周縁部８ａ以外の表面８ｂを窓部１０に臨ませているとともに、前記周縁部８ａを前記隙間１２およびベース部９と枠部１１の間に形成した一連の溝１３で挟持することでネーム板８を保持している。また、一端側基部２を貫通して透孔（連結部材取付部）１４が設けられ、この透孔１４に連結部材１５が取付けられているとともに、該連結部材１５にキー１６が装着されている。したがって、本実施形態のネームホルダ１はキーホルダとして機能する。
【００２４】
前記ネーム板８は、耐水性に優れ、各種筆記具による文字１８の表示を許容するとともに、表示文字１８の消滅を抑制できる特性を有する紙片によって構成されている。この紙片は、たとえば、石灰石を主成分とした耐水性に優れ、かつ油性マーカ、万年筆、ボールペンあるいは鉛筆やシャープペンシルなどを含む全ての筆記具による文字１８の表示を許容するとともに、表示された文字１８の消滅を抑制できる特性を有するストーンペーパーによって構成することが好適である。
【００２５】
前記構成のキーホルダとしての機能を有するネームホルダ１によれば、その保管は、室内の保管位置に設けた例えばＬ型フックなどの掛止部（図示省略）に連結部材１５を掛止した状態でなされる。そして、キー１６の使用は、従来と同様に、前記図示されていない掛止部から当該ネームホルダ１を取り外して手で持った状態、あるいはポケットに収納した状態で玄関のドアーの位置あるいは駐車位置まで移動して行うことができる。
【００２６】
一方、外出頻度や運転・駐車頻度などが高い場合には、前記Ｌ型フックなどの掛止部からネームホルダ１を取り外したのち、指先で第２クリップ部６の他端側自由端部５を矢印Ｒ方向（図１，図２参照）に付勢して、第２クリップ部６を境界部７を基点に、より詳しくは、一対の折曲部６ａを基点に、厚さ方向において第１クリップ部４から離れる方向に少し弾性折曲して、両クリップ部４，６の他端側自由端部３，５を厚さ方向に拡開し、この拡開状態で、図６に示すように、衣服１７のポケット１７ａの開口端縁部１７ｂにあてがって前記指先による矢印Ｒ方向への付勢を解除することで、第２クリップ部６の弾性復帰力により、第２クリップ部６の表面の一部と第１クリップ部４の裏面の一部とでポケット１７ａの開口端縁部１７ｂを仮挟着する。なお、この仮挟着に続いてポケット１７ａにキー１６（図示省略）を収納する。
【００２７】
しかるのち、ネームホルダ１をポケット１７ａ内に押し込むことで、図７に示すように、一端側基部２と両クリップ部４，６との境界部７を開口端縁部１７ｂの近くまで移動させて、ネームホルダ１を衣服のポケット１７ａに挟着して携行または保管する。すなわち、外出頻度や運転・駐車頻度などが高い場合には、ネームホルダ１を衣服の１７ポケット１７ａに挟着することで保管と携行との双方の実行を可能にして、使用時の煩雑度を低下させ、かつ放置位置の失念や紛失を回避することができる。
【００２８】
前記ネームホルダ１は、合成樹脂によって一体に成形されているので、衣服１７のポケット１７ａの開口端縁部１７ｂへの着脱が繰り返されることで、第２クリップ部６の厚さ方向への弾性折曲が頻繁になされても、第２クリップ部６の折損を避けて長期使用に対応することができる。
【００２９】
また、前記ネーム板８は、石灰石を主成分とした耐水性に優れ、かつ油性マーカ、万年筆、ボールペンあるいは鉛筆やシャープペンシルなどを含む全ての筆記具による文字１８の表示を許容するとともに、表示された文字１８の消滅を抑制できる特性を有するストーンペーパーによって構成されているので、ネーム板８の表面８ｂが窓部１０に臨むことで雨水などに触れたとしても、該ネーム板８の損傷劣化および表示文字１８の消滅を抑えてネーム板８の延命化、ひいてはネームホルダ１の延命化を達成することができるとともに、油性マーカ、万年筆、ボールペンあるいは鉛筆やシャープペンシルなどを含む全ての筆記具によりネーム板８の表面８ｂに所定の文字１８を表示することができることにより、筆記具の種類による文字表示の制限が解消されて使用性の向上を実現することができる。
【００３０】
さらに、本考案に係るネームホルダ１は、一端側基部２を貫通して小さい透孔（連結部材取付部）１４が設けられ、この透孔１４に連結部材１５が取付けられているので、前記実施形態のように連結部材１５にキー１６を装着することでキーホルダとして機能させることができるとともに、連結部材１５に携行用バッグなどの持ち物（図示省略）を適宜装着することでネームホルダとして機能させることもできる。
【００３１】
前記実施形態では、第２クリップ部６の他端側自由端部５を矢印Ｒ方向に付勢することで、該第２クリップ部６を境界部７を基点に、厚さ方向において第１クリップ部４から離れる方向に少し弾性折曲して、両クリップ部４，６の他端側自由端部３，５を厚さ方向に拡開させているが、第１クリップ部４の他端側自由端部３と第２クリップ部６の他端側自由端部５とを同時に反矢印Ｒ１方向（図２参照）および矢印Ｒ方向に付勢して、第１，第２クリップ部４，６の双方を境界部７を基点に、互いに離れる方向に少し弾性折曲して、両クリップ部４，６の他端側自由端部３，５を厚さ方向に拡開させてもよい。
【００３２】
また、前記実施形態では、ネーム板８の表面８ｂを直接窓部１０に臨ませた構成で説明しているが、従来例と同様に透視板を介してネーム板８の表面８ｂを窓部１０に臨ませた構成であってもよい。
【産業上の利用可能性】
【００３３】
ネームホルダ１は、一端側基部２に設けた透孔（連結部材取付部）１４に連結部材１５を取付け、該連結部材１５の先端部にキー１６を装着することによってキーホルダとして機能させ、また、前記連結部材１５に携行用バッグなどの持ち物を装着することでネームホルダとして機能させる。
【符号の説明】
【００３４】
１  ネームホルダ
２  一端側基部
２ａ  一端側基部の幅方向両端部
２ｂ  一端側基部の幅方向両端部を除く部位
３  第１クリップ部の他端側自由端部
４  第１クリップ部
５  第２クリップ部の他端側自由端部枠部
６  第２クリップ部
７  境界部
８  ネーム板
８ａ  ネーム板の周縁部
８ｂ  ネーム板の表面
８ｃ  ネーム板の裏面
９  ベース部
１０  窓部
１１  枠部
１２  隙間
１４  透孔（連結部材取付部）
１５  連結部材
【図１】
0003160040.tif 000003
【図２】
0003160040.tif 000004
【図３】
0003160040.tif 000005
【図４】
0003160040.tif 000006
【図５】
0003160040.tif 000007
【図６】
0003160040.tif 000008
【図７】
0003160040.tif 000009
【図８】
0003160040.tif 000010
【図９】
0003160040.tif 000011